(57)【要約】      （修正有）【課題】優れた自己接着性と吸着効果を有し、繰り返し使用でき、敷設や取り外しが容易であり、環境にやさしく無毒であり、寸法安定性や耐凍性や貼付性に優れている滑り止め床材を提供する。【解決手段】滑り止め付き床材は、敷設面と接触する本体１０の底面のポリ塩化ビニル底材層１１に複数の凸リブ１０１を設け、これらの凸リブによる囲いで複数の密閉空洞式吸盤を形成し、密閉空洞式吸盤の表面には感圧型感熱接着剤材質を塗布した粘着層２０を設け、本体を敷設面に粘着および吸着させる。【選択図】図２
0003189814.tif 000002
【実用新案登録請求の範囲】
【請求項１】
本体を含む滑り止め付き床材において、
敷設面と接触する前記本体の底面には複数の凸リブを有し、
前記凸リブによる囲いで複数の密閉空洞式吸盤が形成され、
前記密閉空洞式吸盤表面には粘着層が塗布され、
前記粘着層の材質は感圧型感熱接着剤であり、
前記粘着層により前記本体を前記敷設面上に粘着吸着させることを特徴とする滑り止め付き床材。
【請求項２】
前記凸リブは不等辺六辺形の凸リブである、請求項１に記載の滑り止め付き床材。
【請求項３】
前記凸リブは前記本体底面にホットプレスにより形成された柔性ホットプレスパターンであり、前記柔性ホットプレスパターンは連続的に繰り返し連接された前記不等辺六辺形の凸リブを含む、請求項２に記載の滑り止め付き床材。
【請求項４】
前記本体は、積層してホットプレスにより複合的に一体化されたポリ塩化ビニル（ＰＶＣ）底材層、ポリ塩化ビニル中材層、ポリ塩化ビニル印刷層およびポリ塩化ビニル耐磨耗層を下から上の順で含み、前記凸リブは前記ポリ塩化ビニル底材層の底面に一体的に凸設形成されたものである、請求項１に記載の滑り止め付き床材。
【請求項５】
前記ポリ塩化ビニル耐磨耗層は環境に優しい透明のポリ塩化ビニル材質である、請求項４に記載の滑り止め付き床材。
【考案の詳細な説明】
【技術分野】
【０００１】
本考案は床材の構造に関するものであって、特に滑り止め付き床材に関するものである。
【背景技術】
【０００２】
高分子化合物（樹脂を主原料とする）で製造された床面を覆う材料はプラスチック系床材と呼ばれているのは周知である。その特色は次のとおりである。
（１）手頃な価格：絨毯、木材フローリング、石材およびセラミックタイル床材に比べ価格が比較的安価である。
（２）優れた装飾効果：その種類、絵柄、図柄、色彩、材質、形状が多様化し、表面が高密度特殊構造であり、異なる人々の好みや様々な用途のニーズを満たすことができ、木目柄／大理石柄／絨毯柄／御影石等のパターンのように、天然材料を模しており、とてもリアルである。
（３）多種機能を兼ね備える：足触りが心地よく、暖か味があり、断熱・防音・防湿効果を備える。
（４）施工敷設に便利：セメントコンクリートを必要としない、工事不要、専用接着剤で接着、手早く簡単、消費者自らが構想全体、材料選び、敷設に関わることができる。
（５）施工重量の軽さ：木材フローリング施工後の重量に比べ１０倍軽い。セラミックタイル施工後の重量に比べ２０倍軽い。石材施工後の重量に比べ２５倍軽い。３階建て以上の高層建築物、オフィスビル等での実用に最も適している。ビルの荷重を低減し、安全を保証し、運搬に便利である。
（６）お手入れ簡単：拭き取りやすく、洗いやすく、乾きやすく、耐摩耗性に優れ、使用寿命が長い。これらのことからわかるように、プラスチック系床材は多くの長所を有し優勢であり、市況の見通しが広い。
【０００３】
プラスチック系床材において、滑り止め性能は常に、業界内で絶え間なく研究され強く追求すべき重要課題の一つである。滑り止め性能とは、プラスチック系床材の防滑能力を指し、摩擦係数の大きさはその滑り止め性能の高低の重要指標となる。現在、これまで提案されてきたプラスチック系床材は、敷設面と接触する底面上に滑り止めパターンをデザインし、その滑り止めパターンは多様であり、正六辺形、円形または波形等がある。
しかしながら、これらのパターンデザインと組み合わせは完全に合理的ではなく、プラスチック系床材の摩擦係数は依然として比較的低く、既存のプラスチック系床材の摩擦係数は１．１にまでしか達することができず、更なる向上はできず、プラスチック系床材分野の隘路となっていた。
このため、粘着性の強い硬化型接着剤で直接敷設面に接着する方式が採用されることもあったが、このような方式では床材を繰り返し使用することができなくなる。
【考案の概要】
【考案が解決しようとする課題】
【０００４】
上述の事情に鑑みて、本考案の主な目的は、凸リブが密閉空洞式吸盤を構成する構造と、感圧型感熱接着剤材質の粘着層の形成により、繰り返し使用でき、敷設が容易で、取り外しが簡単である等の利点をもたらすと同時に、優れた滑り止め性能を備えることで、既存の床材が有する滑り止め性能の低さや、硬化型接着剤の使用より床材が繰り返し使用できなくなるといった問題を解決できる、滑り止め付き床材を提供することである。
【課題を解決するための手段】
【０００５】
上述の目的を達成するため、本考案が提案する滑り止め付き床材は、本体を含み、敷設面と接触する本体の底面に複数の凸リブを凸設し、これらの凸リブによる囲いで複数の密閉空洞式吸盤を形成し、前記複数の凸リブの表面には粘着層を塗布し、前記粘着層の材質は感圧型感熱接着剤であり、粘着層により本体を敷設面に粘着および吸着させる。
【０００６】
具体的には、これらの凸リブは不等辺六辺形の凸リブであり、また前記凸リブは本体底面にホットプレスによって形成された柔性ホットプレスパターンであってもよく、前記柔性ホットプレスパターンは連続的に繰り返し連接された前述の不等辺六辺形の凸リブを含む。さらに本体は、積層してホットプレスにより複合的に一体化されたポリ塩化ビニル底材層、ポリ塩化ビニル中材層、ポリ塩化ビニル印刷層およびポリ塩化ビニル耐磨耗層を下から上の順で含み、前記凸リブはポリ塩化ビニル底材層の底面に一体的に凸設形成され、ポリ塩化ビニル耐磨耗層は環境に優しい透明のポリ塩化ビニル材質である。
【考案の効果】
【０００７】
本考案は、複数の凸リブによる囲いで複数の密閉空洞式吸盤を形成すると同時に、凸リブ上に感圧型感熱接着剤を塗布して形成された粘着層を組み合わせたものである。
それにより、一方では、感圧型感熱接着剤の使用量を節約するのに有効であると同時に、感圧型感熱接着剤の繰り返し使用可能な特性を利用して、繰り返し使用できる、容易な敷設、簡単な取り外しという効果を達成でき、もう一方では、粘着層を利用して本考案の滑り止め付き床材を敷設面にしっかり粘着させることで、滑り止め付き床材の滑り止め性能が大幅に高められ、優れた自己接着性および吸着効果をもたらし、底部の摩擦係数は１．７〜２．０まで達することができる。
また本考案は、フェノールや揮発性有機化合物（ＶＯＣ）が少なく、環境にやさしく無毒であり、寸法安定性や耐凍性や貼付性に優れている等の特性を有し、住宅での敷設に適しており、高齢者や子供に対する安全性の問題も解消できる。
【図面の簡単な説明】
【０００８】
【図１】本考案が提供する滑り止め付き床材の実施例の断面立体図。
【図２】図１中のＡ部分の拡大図。
【図３】本考案が提供する滑り止め付き床材の実施例における底材層底面の拡大図。
【考案を実施するための形態】
【０００９】
本考案の目的、特徴および効果の更なる理解のため、以下に図面を参照しながら詳細説明をする。
【実施例】
【００１０】
本考案が提供する滑り止め付き床材の実施例の断面立体構造を示す図１と、図１中のＡの部分の拡大図である図２を合わせて参照されたい。
この滑り止め付き床材は本体１０を備え、敷設面と接触する本体１０の底面には複数の凸リブ１０１を凸設し、これらの凸リブ１０１の表面には粘着層２０を塗布し、粘着層２０の材質は感圧型感熱接着剤である。
【００１１】
具体的には、本実施例では、本体１０は、積層してホットプレスにより複合的に一体化されたポリ塩化ビニル（ＰＶＣ）底材層１１、ポリ塩化ビニル中材層１２、ポリ塩化ビニル印刷層１３およびポリ塩化ビニル耐磨耗層１４を下から上の順で含む。凸リブ１０１はポリ塩化ビニル底材層１１の底面に一体的に凸設形成され、ポリ塩化ビニル耐磨耗層１４は環境に優しい透明のポリ塩化ビニル材質である。
【００１２】
次に、本考案が提供する滑り止め付き床材の実施例における底材層の底面の拡大図である図３を参照されたい。
前述の凸リブ１０１による囲いで複数の密閉空洞式吸盤を形成し、これらの凸リブ１０１が敷設面に圧着された時、密閉空洞式吸盤部分の負圧により、敷設面と緊密に張り合わせられる吸着効果が生まれる。
本実施例では、凸リブ１０１は密閉型不等辺六辺形の凸リブであり、これらの凸リブ１０１は本体１０底面にホットプレスによって形成された柔性ホットプレスパターンである。この柔性ホットプレスパターンは連続的に繰り返し連接された前述の密閉型不等辺六辺形の凸リブ１０１を含む。
実施する際にはこの形状に限定されず、密閉空洞式吸盤の構造が形成されて前述の吸着効果が達成できるのであれば、柔性ホットプレスパターンは多くのその他の形状の凸リブを含んだものでもよい。
【００１３】
滑り止め付き床材を使用する際は、本体１０底面を敷設面に接触させ、滑り止め付き床材自体の重力により、あるいは使用者が少し加圧することにより、凸リブ１０１が形成した密閉空洞式吸盤の空洞部分が圧縮されて負圧が生まれ、敷設面に吸い付き、感圧型感熱接着剤材質の粘着層２０の粘着性により、本体１０は敷設面に緊密に張り付いて持続的に吸着するので、剥れたり滑って動いたりすることがなくなる。
後で滑り止め付き床材を移動したい場合は、本体１０をめくれば、粘着層２０も本体１０につられて剥がれるので、その後、滑り止め付き床材を別の位置に移動し、再度粘着層２０により本体をその位置上に粘着および吸着させればよく、非常に簡単に使用でき、便利である。
【００１４】
つまり、本考案が開示する滑り止め付き床材は、複数の凸リブによる囲いで複数の密閉空洞式吸盤が形成されると同時に、凸リブ上に感圧型感熱接着剤を塗布して形成された粘着層を組み合せたものである。
この凸リブ設計により、感圧型感熱接着剤の使用量が効果的に節約できると同時に、感圧型感熱接着剤の繰り返し使用可能な特性を利用して、滑り止め付き床材の繰り返し使用が可能になり、敷設が容易で、取り外しも簡単になる。
また一方では、粘着層を利用して滑り止め付き床材を敷設面上にしっかり粘着させることで、滑り止め付き床材の滑り止め性能が大幅に高められ、優れた自己接着性および吸着効果をもたらし、底部の摩擦係数は１．７〜２．０にまで達することができる。
さらに本考案の滑り止め付き床材は、フェノールや揮発性有機化合物（ＶＯＣ）が少なく、環境にやさしく無毒であり、寸法安定性や耐凍性や貼付性に優れている等の特性を有し、住宅での敷設に適しており、高齢者や子供に対する安全性の問題も解消できる。
【００１５】
本考案は上述のとおり実施例を開示したが、これは本考案を限定するものではない。本考案の精神と領域を脱しない範囲内で加えた各種の変更や潤色は、すべて本考案の実用新案登録請求の範囲内に含まれる。本考案の保護範囲については実用新案登録請求の範囲を参照されたい。
【符号の説明】
【００１６】
１０  本体  
１１  ポリ塩化ビニル底材層
１２  ポリ塩化ビニル中材層
１３  ポリ塩化ビニル印刷層  
１４  ポリ塩化ビニル耐磨耗層
１０１  凸リブ  
２０  粘着層  
【図１】
0003189814.tif 000003
【図２】
0003189814.tif 000004
【図３】
0003189814.tif 000005